(57)【要約】【課題】  最小限の部品の付加により、ＣＤ、ＣＤ−Ｒ、ＤＶＤの再生が可能となる光ピックアップ装置を提供すること。【解決手段】  光記録媒体の表面から情報記録面までの距離が第１所定距離を有する第１光記録媒体と、距離が第１所定距離とは異なる第２所定距離を有する第２光記録媒体とから、記録情報を再生するための光ピックアップ装置において、第１光源と、第２の光源と、第１光ビームを第１光記録媒体の情報記録面上で集光せしめると共に、第２光ビームを第２光記録媒体の情報記録面上に集光せしめるための対物レンズと、第１光源並びに第２光源と対物レンズとの間の光路中に配され、第２所定距離が第１所定距離とは異なることに起因して第２光ビームに発生する収差を補正する収差補正手段とを備えたことを特徴とする。【選択図】  図１
2004171769.tif 000002
【特許請求の範囲】
【請求項１】
光記録媒体の表面から情報記録面までの距離が第１の所定距離を有する第１の光記録媒体と、前記距離が前記第１の所定距離とは異なる第２の所定距離を有する第２の光記録媒体とから、記録情報を再生するための光ピックアップ装置において、
第１の波長を有する第１の光ビームを発生する第１の光源と、
第２の波長を有する第２の光ビームを発生する第２の光源と、
前記第１の光ビームを前記第１の光記録媒体の情報記録面上で集光せしめると共に、前記第２の光ビームを前記第２の光記録媒体の情報記録面上に集光せしめるための対物レンズと、
前記第１の光源並びに前記第２の光源と前記対物レンズとの間の光路中に配され、前記第２の所定距離が前記第１の所定距離とは異なることに起因して前記第２の光ビームに発生する収差を補正する収差補正手段と
を備えたことを特徴とする光ピックアップ装置。
【請求項２】
前記収差補正手段は、前記第２の所定距離が前記第１の所定距離とは異なることに起因して前記第２の光ビームに発生する収差を打ち消す収差を発生する収差発生手段を備えたことを特徴とする請求項１に記載の光ピックアップ装置。
【請求項３】
前記収差補正手段は、溝形状を略矩形とする位相透過型回折格子であり、当該溝の深さは、前記第１の波長をλ、前記回折格子の屈折率をＮとしたとき、λ／（Ｎ−１）に比例することを特徴とする請求項１並びに請求項２に記載の光ピックアップ装置。
【請求項４】
前記収差補正手段は、前記第１の光ビームを反射せしめると共に前記第２の光ビームを透過せしめるビームスプリッタと、当該ビームスプリッタを透過した前記第２の光ビームに対して収差を発生せしめる収差発生手段と、当該収差発生手段からの出力光を前記対物レンズに導く光学素子とからなることを特徴とする請求項１並びに請求項２に記載の光ピックアップ装置。
【請求項５】
前記収差補正手段は、前記第２の光ビームの開口を制限するリング状スリット部材であることを特徴とする請求項１に記載の光ピックアップ装置。
【発明の詳細な説明】
【技術分野】
【０００１】
本発明は、ＣＤ、ＣＤ−Ｒ、ＤＶＤの再生が可能となるコンパチブル光ピックアップ装置に関する。
【背景技術】
【０００２】
近年、従来のＣＤよりも記録容量を飛躍的に向上させ、一本の映画が記録可能な高密度記録媒体であるＤＶＤの開発が盛んに行われており、この中で、ＤＶＤとＣＤの双方を再生することが可能なＣＤ／ＤＶＤコンパチブル再生機の開発が活発である。ここで、ＣＤとＤＶＤの構造を比較すると、高密度化の要請から、ＤＶＤのディスク表面から情報記録面までの距離（即ち、保護層の厚さ）は、ＣＤの保護層の約半分の厚さ（０．６ｍｍ）とされている。従って、一焦点の光ピックアップを用いて双方のディスクを再生しようとすると、例えば、ＤＶＤに最適となるように集光すると、ＣＤに対しては光ビームが通過する保護層がＤＶＤより厚いので、光ビームに球面収差等の波面収差が発生し、これによりＣＤに対して最適に集光することができないという問題がある。
【０００３】
また、ＣＤとＤＶＤでは、記録のために形成されている情報ピットの大きさが異なる。より具体的には、ＣＤに形成されている情報ピットの内、最短ピットの長さが約０．８７μｍであるのに対して、ＤＶＤでは最短ピット長は約０．４μｍとなるので、それぞれの情報ピットを正確に読み取るためには、それぞれの情報ピットの大きさに適合した光スポットをＣＤ又はＤＶＤ上に形成する必要がある。
【０００４】
さらに、上記コンパチブル再生機において、追記型光ディスクであるＣＤ−Ｒの再生も行うことができれば好都合であるが、ＣＤ−Ｒの記録層を形成する記録材料の反射／吸収特性に波長依存性が有るため、ＣＤ−Ｒの再生を行うには波長が７８５ｎｍ近傍の光ビームを励起するＬＤ（Ｌａｓｅｒ Ｄｉｏｄｅ）を必要とする。つまり、ＤＶＤの再生に用いられる６３５ｎｍ近傍の波長を有する光ビームでは、ＣＤ−Ｒに対して信号の読み取りを行うのに必要となる反射率を確保できず、ＣＤ−Ｒから信号の再生ができないという問題がある。
【０００５】
上記各問題点を解決するためには、ＤＶＤに対して最適な光学特性を有する第１の光ピックアップと、ＣＤ並びにＣＤ−Ｒに対して最適な光学特性を有する第２の光ピックアップとを備え、これら光ピックアップを再生すべきディスクに応じて切り換える構成とすれば良い。しかしながら、このような２ピックアップ構成では、部品点数が増大することになり、コンパチブル再生機の大型化、並びに高価格化は免れない。
【発明の開示】
【発明が解決しようとする課題】
【０００６】
そこで、本発明は、上記問題に鑑みてなされたもので、最小限の部品の付加により、ＣＤ、ＣＤ−Ｒ、ＤＶＤの再生が可能となる光ピックアップ装置を提供することを目的とする。
【課題を解決するための手段】
【０００７】
請求項１記載の発明は、光記録媒体の表面から情報記録面までの距離が第１の所定距離を有する第１の光記録媒体と、当該距離が第１の所定距離とは異なる第２の所定距離を有する第２の光記録媒体とから、記録情報を再生するための光ピックアップ装置において、第１の波長を有する第１の光ビームを発生する第１の光源と、第２の波長を有する第２の光ビームを発生する第２の光源と、第１の光ビームを第１の光記録媒体の情報記録面上で集光せしめると共に、第２の光ビームを第２の光記録媒体の情報記録面上に集光せしめるための対物レンズと、第１の光源並びに第２の光源と対物レンズとの間の光路中に配され、第２の所定距離が第１の所定距離とは異なることに起因して第２の光ビームに発生する収差を補正する収差補正手段とを備えて構成される。
【０００８】
請求項２記載の発明は、請求項１記載の光ピックアップ装置において、収差補正手段は、第２の所定距離が第１の所定距離とは異なることに起因して第２の光ビームに発生する収差を打ち消す収差を発生する収差発生手段を備えて構成される。
【０００９】
請求項３記載の発明は、請求項１並びに請求項２記載の光ピックアップ装置において、収差補正手段は、溝形状を略矩形とする位相透過型回折格子であり、当該溝の深さは、第１の波長をλ、回折格子の屈折率をＮとしたとき、λ／（Ｎ−１）に比例するように構成される。
【００１０】
請求項４記載の発明は、請求項１並びに請求項２記載の光ピックアップ装置において、収差補正手段は、第１の光ビームを反射せしめると共に第２の光ビームを透過せしめるビームスプリッタと、当該ビームスプリッタを透過した第２の光ビームに対して収差を発生せしめる収差発生手段と、当該収差発生手段からの出力光を対物レンズに導く光学素子とで構成される。
【００１１】
請求項５記載の発明は、請求項１記載の光ピックアップ装置において、収差補正手段は、第２の光ビームの開口を制限するリング状スリット部材からなる。
【００１２】
上述した光ピックアップ装置によれば、光記録媒体の表面から情報記録面までの距離が第１の所定距離を有する第１の光記録媒体と、距離が第１の所定距離とは異なる第２の所定距離を有する第２の光記録媒体とから、記録情報を再生するための光ピックアップ装置において、第１の光源は第１の波長を有する第１の光ビームを発生する。また、第２の光源は第２の波長を有する第２の光ビームを発生する。対物レンズは第１の光ビームを第１の光記録媒体の情報記録面上で集光せしめると共に、第２の光ビームを第２の光記録媒体の情報記録面上に集光せしめる。更に第１の光源並びに第２の光源と対物レンズとの間の光路中には、第２の所定距離が第１の所定距離とは異なることに起因して第２の光ビームに発生する収差を補正する収差補正手段が配されている。従って、第２の光ビームは、第１の光ビームと同一の対物レンズによって集光せしめられるにも拘らず、第２の光記録媒体上で収差のない光ビームを形成することが可能となる。
【発明を実施するための最良の形態】
【００１３】
図１に本発明の第１の実施形態による光ピックアップ装置のブロック図を示した。図を用いて光ピックアップ装置の構成を説明する。先ず、本発明における第１の実施形態の光ピックアップ装置は、第１の波長である６３５ｎｍ近傍を有する第１の光ビームを発生する第１の光源としての第１半導体レーザ１０と、第２の波長である７８５ｎｍ近傍の波長を有する第２の光ビームを発生する第２の光源としての第２半導体レーザ２０と、第１ビームスプリッタ１１並びに第２ビームスプリッタ１７と、コリメータレンズ１２と、λ／４板１３と、収差補正手段としての波長ホログラム１４と、対物レンズ１５と、マルチレンズ１８と、フォトディテクタ１９とから構成される。尚、図中に示す実線は第１半導体レーザから発射された波長６３５ｎｍの光ビームの光路を、点線は第２半導体レーザから発射された波長７８５ｎｍの光ビームの光路を示している。
【００１４】
上記構成において、光ディスク１６として表面から情報記録面までの距離を第１の所定距離（約０．６ｍｍ）とする光記録媒体であるＤＶＤが図示しないディスク載置位置に載置された場合、第１半導体レーザ１０から発射した光ビームＬ１は、第１ビームスプリッタ１１を透過し、コリメータレンズ１２で平行光に変換された後、λ／４板１３に入射する。このλ／４板１３はＰ偏光またはＳ偏光を左回りまたは右回りの円偏光に偏光すると共に、左回りまたは右回りの円偏光をＰ偏光またはＳ偏光に変換するものであり、例えばＰ偏光がλ／４板１３を透過すると左回りの円偏光に偏光され、右回りの円偏光がλ／４板１３を透過するとＳ偏光に偏光される。
【００１５】
即ち、第１半導体レーザ１０から発射されたＰ偏光の光ビームは、λ／４板１３を透過することで左回り円偏光に偏光され、後述する波長選択ホログラム１４に入射する。この波長選択ホログラム１４を透過した光ビームは、対物レンズ１５で集光され、ＤＶＤ１６ａの情報記録面上に照射される。ＤＶＤ１６ａの情報記録面上から反射した光ビームは右回り円偏光に偏光され、対物レンズ１５並びに波長選択ホログラム１４を透過し、再びλ／４板１３を透過する。この際、右回り円偏光はＳ偏光に偏光され、コリメータレンズ１２を透過し、第１ビームスプリッタ１１で反射され、第２ビームスプリッタ１７に入射する。第２ビームスプリッタ１７に入射したＳ偏光の光ビームは、反射されてマルチレンズ１８を経て光検出器であるフォトディテクタ１９に入射する。
【００１６】
一方、光ディスク１６として、表面から情報記録面までの距離を第２の所定距離（約１．２ｍｍ）とする光記録媒体であるＣＤまたはＣＤ−Ｒが載置された場合は、第２半導体レーザ２０から発射したＰ偏光の光ビームＬ２は、第２ビームスプリッタ１７を透過し、第１ビームスプリッタ１１で反射され、コリメータレンズ１２で平行光に変換され、λ／４板１３で左回り円偏光に偏光された後、波長選択ホログラム１４を透過し、対物レンズ１５で集光され、ＣＤまたはＣＤ−Ｒ１６ｂの情報記録面上に照射される。ＣＤまたはＣＤ−Ｒ１６ｂの情報記録面上から反射した右回り円偏光に偏光された光ビームは、対物レンズ１５及び波長選択ホログラム１４を透過し、λ／４板１３で円偏光からＳ偏光に偏光された後、コリメータレンズ１２を経て第１ビームスプリッタ１１及び第２ビームスプリッタ１７で反射され、マルチレンズ１８を介してフォトディテクタ１９に照射される。
【００１７】
次に、上述した本発明の第１の実施形態による光ピックアップ装置の第１半導体レーザ１０及び第２半導体レーザ２０と対物レンズ１５との光路中に設けられた第１ビームスプリッタ１１及び第２ビームスプリッタ１７について図２を用いて説明する。図２（ａ）は、第１ビームスプリッタ１１に用いられる反射膜の半導体レーザの波長に対する透過反射特性を示したものである。図中（１）はＰ偏光に対する透過率（Ｔｐ）を示したもので、波長が６３５ｎｍの光ビーム、即ち第１の光ビームに対しは透過率が９０％であり、波長７８５ｎｍの光ビーム、即ち第２の光ビームに対しては透過率が０％であることを示している。つまり、第１ビームスプリッタ１１に入射した第１の光ビームの内、９０％が当該第１ビームスプリッタ１１を透過するが、第１ビームスプリッタ１１に入射した第２の光ビームは、当該第１ビームスプリッタ１１を透過することはない。
【００１８】
同様に（２）はＳ偏光に対する透過率（Ｔｓ）を示し、６３５ｎｍ及び７８５ｎｍの波長を有するＳ偏光の光ビームに対しては、いずれも透過率が０％であることを示している。また、図中（３）はＰ偏光に対する反射率（Ｒｐ）を示しており、入射されたＰ偏光の波長に応じて、例えば波長６３５ｎｍに対しては約１０％反射するが、波長７８５ｎｍに対しては１００％反射する。更に、（４）はＳ偏光に対する反射率（Ｒｓ）を示しており、Ｓ偏光に対しては波長が６３５ｎｍ及び７８５ｎｍの光ビームに拘らず１００％反射する特性であることを示している。従って、上記の特性を有する第１ビームスプリッタ１１を用いることにより、第１半導体レーザ１０から入射される波長６３５ｎｍのＰ偏光の光ビームは９０％透過し、第２半導体レーザ２０から入射される波長７８５ｎｍのＰ偏光の光ビームは１００％反射する。
【００１９】
また、光ディスク１６からの反射光はＳ偏光に偏光されて第１ビームスプリッタ１１に入射するので、図中（２）に示すように透過率は０％であり、逆に図中（４）に示すように反射率１００％であることから、光ディスク１６からの６３５ｎｍ及び７８５ｎｍの波長の反射光は共に第１ビームスプリッタ１１で反射され、第２ビームスプリッタ１７に入射するのである。一方、図２（ｂ）は第２ビームスプリッタ１７に用いられる反射膜の半導体レーザの波長に対する透過反射特性を示したものである。図中（５）に示すように第２半導体レーザ２０の波長７８５ｎｍの光ビームのＰ偏光成分に対しては１００％透過するが、図中（８）に示すように６３５ｎｍ及び７８５ｎｍの波長のＳ偏光の光ビームに対しては１００％反射するので、上記の光ディスク１６からの反射光として第１ビームスプリッタ１１を介して第２ビームスプリッタ１７に入射する６３５ｎｍ及び７８５ｎｍの波長のＳ偏光の光ビームは共に反射され、マルチレンズ１８を介してフォトディテクタ１９に照射される。
【００２０】
次に、本発明の第１の実施形態による光ピックアップ装置に用いられる波長選択ホログラム１４について図３乃至図５を用いて説明する。先ず、ＤＶＤの記録再生条件として、波長６３５ｎｍ、開口数ＮＡ＝０．６、基板厚０．６ｍｍとする。また、ＣＤ、ＣＤ−Ｒの再生条件として、波長７８５ｎｍ、開口数ＮＡ＝０．４５、基板厚１．２ｍｍとする。これら２つの異なる条件に対して１つの対物レンズ１５で対応するため収差補正手段としての波長選択ホログラム１４が用いられる。波長選択ホログラム１４は、６３５ｎｍの光ビーム、即ち、ＤＶＤを再生する際には、補正手段としては作用せず、７８５ｎｍの光ビーム、即ち、ＣＤ、ＣＤ−Ｒを再生する際にのみ補正手段として作用するものである。
【００２１】
いま、波長選択ホログラム１４を設計するにあたって、図３に示すようにＣＤにおける情報記録面上の点Ｏを発光点として、ディスクの表面から対物レンズ表面までの作動距離（Ｗｏｒｋｉｎｇ Ｄｉｓｔａｎｃｅ）をＷ．Ｄ＝１．８９ｍｍ、Ｐ点を近軸での焦点距離とした時に発生する波面収差をＷ（Ｒ）とする。波長選択ホログラム１４によって、Ｐ点に向かうＣＤの保護層の厚さ（約１．２ｍｍ）に応じた収差を持った波面が平面波（平行波）に変換されれば良いから、対物レンズ１５とＰ点の間に配する波長選択ホログラム１４のＰ点からの距離をＡとすると、波長選択ホログラム１４の溝パターンは、図４（ａ）に示す式（１）を満たすは半径Ｒの同心円群となる。
【００２２】
つまり、式（１）は、点Ｏから発射された光ビームのうち波長選択ホログラム１４上の任意の半径位置Ｒに入射される収差を有する光ビームと、波長選択ホログラム１４の光軸に沿って光心に入射される収差のない光ビームとが点Ｐにおいてその波面が揃う条件（光路差が光ビームの波長の整数倍となる。）を示している。従って、この条件を満たす波長選択ホログラム１４を図３に示すように、対物レンズ１５を挟んでディスクとは反対側の位置に配することによって、Ｐ点側から入射した平行光に対してＣＤの保護層の厚さに起因して発生する収差とは逆の収差を発生せしめることになり、ＣＤ上の集光位置Ｏにおいてはこれらの収差が打ち消されて収差のない光ビームとすることができる。
【００２３】
更に、波長選択ホログラム１４は、波長選択性を持たせる（つまり、波長６３５ｎｍに対しては、回折格子として作用させず、波長７８５ｎｍに対してのみ、回折格子として作用させる）ために、溝形状は波長６３５ｎｍに対して位相差として２×ｎ×π（ｎ：整数）が得られる後述する深さｄを有する矩形状溝とする。矩形状溝による回折光の強度は、図４（ａ）に示す式（２）及び式（３）により算出される。ここで、φ＝２×ｎ×πであれば式（２）、即ち、０次回折光強度が１に、式（３）、即ち、±１次回折光強度は０となり回折は起こらない。
【００２４】
そこで、波長選択ホログラム１４としての回折格子を形成する材料（例えばガラス材）の屈折率Ｎを１．５１１として、６３５ｎｍの波長λを有する第１の光ビームに対して位相差φが２×ｎ×π（ｎ：整数）を満足する溝深さｄを求めると、ｄ＝２．４８６μｍとなる（但し、ｎ＝２とした場合）。つまり、波長選択ホログラム１４の溝深さをｄ＝２．４８６μｍとすることにより、波長６３５ｎｍである第１の光ビームに対しては、回折格子として作用しない。この時、波長７８５ｎｍである第２の光ビームが溝深さｄとしてｄ＝２．４８６μｍとされた波長選択ホログラム１４によって回折される回折光の強度Ａ０、Ａ１を求めると、図４（ｂ）に示すものとなる（但し、図４（ｂ）においては、矩形状溝を有する回折格子のデューティｒ／ｑは、５０％として計算している）。
【００２５】
図４（ｂ）に示す回折強度から、溝深さｄ＝２．４８６μｍとすることにより、波長７８５ｎｍである第２の光ビームに対しては、波長選択ホログラム１４に入射した光量の３５．１％が１次回折光となって得られることがわかる。（但し、７８５ｎｍの光ビームに対する光利用率は、往復で２回波長選択ホログラム１４を通過することになるので、０．３５１×０．３５１＝０．１２３（１２．３％）となる。
【００２６】
図５に本実施形態で採用する波長選択ホログラム１４の摸式図を示す。この図に示す通り波長選択ホログラム１４は、波長６３５ｎｍに対して２×ｎ×π（ｎ：整数）の位相差となる溝深さｄを有する矩形状溝で、式（１）を満たす半径Ｒを有する同心円からなる位相透過型回折格子を、波長７８５の光ビームでＣＤを再生するのに必要となるＮＡ（開口数：ＣＤでは０．４５程度とされる）に相当する範囲に亘って形成したものである。従って、６３５ｎｍの波長を有する第１の光ビームに対しては単なる透明板であるが、７８５ｎｍの波長を有する第２の光ビームに対してはＣＤの保護層の厚みによって発生する収差を補正すると共に光ビームのＮＡを制限する収差補正手段として作用する。つまり、波長に応じて（波長を選択して）作用を異ならしめている。
【００２７】
以上の通り、第１の実施形態においては、ＤＶＤを再生するための第１の光ビームに対しては作用せず、ＣＤまたはＣＤ−Ｒを再生するための第２の光ビームに対してのみ収差補正手段として作用を担う波長選択ホログラム１４を採用することにより、対物レンズ１５を共用することができるので、一つのピックアップ装置でＤＶＤ、ＣＤ、ＣＤ−Ｒ等の異なった種類の光ディスクの再生が可能となる。
【００２８】
尚、半導体レーザとして６３５ｎｍと７８５ｎｍの各レーザチップを単一のステム（台座）上に載置して、１パッケージ化した、いわゆる２波長半導体レーザを採用しても良い。いま、図１における第１半導体レーザ１０並びに第２半導体レーザ２０に代えて２波長半導体レーザを第１半導体レーザ１０の位置に配した場合を考えると、ビームスプリッタ１１に波長選択特性は必要なく、各波長の光ビームの偏光面（Ｐ偏光、Ｓ偏光）に対する透過反射特性を有していれば良い。また、ビームスプリッタ１７は必要なく、当該ビームスプリッタ１７に代えて単にミラーを配するか、或いはビームスプリッタ１７の位置にフォトディテクタ１９を配すれば良く、部品点数をより低減することができる。
【００２９】
次に、本発明の第２実施形態による光ピックアップ装置に対して図６を用いて説明する。一般に、光ディスクの情報記録面上で発生する球面収差は、開口数ＮＡの４乗に比例する。このため、開口数ＮＡを変化させる（小とする）ことにより、その変化分の４乗に比例して収差の発生を低減できることになる。そこで、本発明の第２実施形態では、波長選択ホログラム１４に代えて図６に示す収差補正手段としての波長選択性ガラスを採用する例を示す。
【００３０】
図６（ｃ）に示すように波長選択性ガラスは、円形状透明ガラス基板の外周縁部に、波長７８５ｎｍの光ビームに対しては遮蔽板として作用すると共に波長６３５ｎｍの光ビームに対しては透明板として作用する波長選択特性を有するＳｉ系薄膜等の誘電体多層膜が環状に形成されたものである（図中斜線）。中央の誘電体多層膜を有しない、即ち７８５ｎｍの光ビーム並びに６３５ｎｍの光ビームのいずれかに対しても透明板として作用する透明円形部の直径は、ＣＤ、ＣＤ−Ｒの開口数ＮＡ＝０．４５に相当する径で形成されている。
【００３１】
波長６３５ｎｍの光ビームに対しては、波長選択性ガラスは透明に見えるため、図６（ａ）に示すように誘電体多層膜及び透明円形部分を透過するが、波長７８５ｎｍの光ビームに対しては図６（ｂ）に示すように、誘電体多層膜によって光ビームが遮蔽されるので、透明円形部のみ光ビームが透過することになる。このように、波長７８５ｎｍの光ビームの開口を制限することによりＤＶＤに対して収差が発生しない設計が施された対物レンズを共用したとしてもＣＤ、ＣＤ−Ｒの情報記録面上で発生する球面収差を開口数の４乗分の１に低減することが出来るので、コンビネーション装置における光ピックアップ装置に好適である。
【００３２】
次に、本発明の第３実施形態による光ピックアップ装置について、図７を用いて説明する。第３実施形態が第１実施形態と異なる点は、収差補正手段として波長選択ホログラム１４に代えて遮蔽板２５及び非球面凹レンズ２６を用い、この遮蔽板２５及び非球面凹レンズ２６からなる収差補正手段に第２の光ビームを誘導するミラー２２、２４、ビームスプリッタ２３並びに、収差補正手段から出射する光ビームを対物レンズ１５に導くミラー２７、ビームスプリッタ２３とを備えたことである。図７を用いて本発明の第３実施形態による光ピックアップ装置の構成を説明する。図中実線は第１半導体レーザ１０から発射された波長６３５ｎｍの光ビームの光路を示し、点線は第２半導体レーザ２０から発射された波長７８５ｎｍの光ビームの光路を示している。
【００３３】
先ず、第１半導体レーザ１０から発射された波長６３５ｎｍの光ビームは、第１ビームスプリッタ１１、コリメータレンズ１２及びλ／４板１３を透過し、ミラー２２及び第３ビームスプリッタ２３で反射され、対物レンズ１５で集光されて、ＤＶＤの情報記録面上に照射される。尚、第３ビームスプリッタ２３は、波長６３５ｎｍに対しては反射し、波長７８５ｎｍに対しては透過する透過反射特性を有している。一方、第２半導体レーザ２０から発射された波長７８５ｎｍの光ビームは、第２ビームスプリッタ１７を透過し、第１ビームスプリッタ１１で反射され、コリメータレンズ１２及びλ／４板１３を透過し、ミラー２２で反射され、第３ビームスプリッタ２３に入射する。
【００３４】
第３ビームスプリッタ２３に入射した波長７８５ｎｍの光ビームは、第３ビームスプリッタ２３の透過反射特性に基づいて当該第３ビームスプリッタ２３を透過し、ミラー２４で反射された後、遮蔽板２５を介して非球面凹レンズ２６に入射する。遮蔽板２５には、波長７８５ｎｍの光ビームでＣＤから情報を読み取る際に適した開口数ＮＡ＝０．４５に相当する円形状の透過部が設けられており、遮蔽板２５に入射した光ビームはその開口が制限されて出射するのである。また、非球面凹レンズ２６は、入射した光ビームに対して、対物レンズ１５を共用した際にＣＤとＤＶＤの保護層の厚さの違いに起因して発生する球面収差とは逆の極性を持つ球面収差が発生するように設計されている。
【００３５】
従って、収差補正手段としての遮蔽板２５及び非球面凹レンズ２６から出射された光ビームは、ミラー２７、ビームスプリッタ２３並びに対物レンズ１５を介してＣＤまたはＣＤ−Ｒの記録面上に集光する際に記録面上で発生する収差を打ち消すことになり、収差のないＣＤまたはＣＤ−Ｒに対して好適な光ビームとなる。
【００３６】
光記録媒体の表面から情報記録面までの距離が第１の所定距離を有する第１の光記録媒体と、距離が第１の所定距離とは異なる第２の所定距離を有する第２の光記録媒体とから、記録情報を再生するための光ピックアップ装置において、第１の波長を有する第１の光ビームを発生する第１の光源と、第２の波長を有する第２の光ビームを発生する第２の光源と、第１の光ビームを第１の光記録媒体の情報記録面上で集光せしめると共に、第２の光ビームを第２の光記録媒体の情報記録面上に集光せしめるための対物レンズと、第１の光源並びに第２の光源と対物レンズとの間の光路中に配され、第２の所定距離が第１の所定距離とは異なることに起因して第２の光ビームに発生する収差を補正する収差補正手段とを備えたことにより、最小限の部品の付加により、ＣＤ、ＣＤ−Ｒ、ＤＶＤの再生が可能となる。
【図面の簡単な説明】
【００３７】
【図１】本発明の第１の実施形態による光ピックアップ装置のブロック図。
【図２】本発明の光ピックアップ装置に用いられる第１及び第２ビームスプリッタの透過反射特性を示す図。
【図３】本発明の光ピックアップ装置に用いられる波長選択ホログラムの設計法を示す図。
【図４】回折光の強度を求める式及び算出結果を示す図。
【図５】波長選択ホログラムの構造図。
【図６】本発明の第２実施形態による光ピックアップ装置に用いられる収差補正素子を示す図。
【図７】本発明の第３実施形態による光ピックアップ装置のブロック図。
【符号の説明】
【００３８】
１０・・第１半導体レーザ
１１・・第１ビームスプリッタ
１２・・コリメータレンズ
１３・・λ／４板
１４・・波長選択ホログラム
１５・・対物レンズ
１６・・光ディスク
１６ａ・・ＤＶＤ用光ディスク
１６ｂ・・ＣＤ、ＣＤ−Ｒ用光ディスク
１７・・第２ビームスプリッタ
１８・・マルチレンズ
１９・・フォトディテクタ
２０・・第２半導体レーザ
２１・・２波長半導体レーザ
２２、２４、２７・・プリズム
２３・・第３ビームスプリッタ
２５・・遮蔽板
２６・・非球面凹レンズ
２８・・第４ビームスプリッタ
【図１】
2004171769.tif 000003
【図２】
2004171769.tif 000004
【図３】
2004171769.tif 000005
【図４】
2004171769.tif 000006
【図５】
2004171769.tif 000007
【図６】
2004171769.tif 000008
【図７】
2004171769.tif 000009